(57)【特許請求の範囲】
【請求項１】
テレビジョン信号に含まれ画像搬送波に変調された画像信号を画像信号中間周波数に変換し、前記テレビジョン信号に含まれ２つの音声搬送波に変調されたステレオ音声信号または２トーン信号を２つの第１音声信号中間周波数に変換するマルチスタンダードテレビジョン受像機において、予め決められた固定中心周波数を有し前記ステレオ音声信号を抽出する２つの音声信号フィルタを設け、前記テレビジョン信号の画像搬送波および音声搬送波の周波数差に依存して、前記中間周波数に変換された画像信号に含まれる画像搬送波をシフトし、このシフトされた画像搬送波と混合された第１音声中間周波数の音声中間周波信号が、前記音声中間周波フィルタによって抽出される２つの第２音声信号中間周波数において生じるような周波数にする周波数シフト手段を設けたことを特徴とするテレビジョン受像機。
【請求項２】
請求項１に記載のテレビジョン受像機において、前記音声信号フィルタの中心周波数を、５．５および５．７４２ＭＨｚとしたことを特徴とするテレビジョン受像機。
【請求項３】
請求項２に記載のテレビジョン受像機において、前記第１音声信号中間周波数を、３２．４および３２．１５８ＭＨｚとし、前記中間周波数に変換された画像信号に含まれる画像搬送波がシフトされる周波数を、３７．９ＭＨｚとしたことを特徴とするテレビジョン受像機。
【請求項４】
請求項１から３のいずれか１項に記載のテレビジョン受像機において、前記周波数シフト手段に、前記テレビジョン信号の伝送規格と、この規格によって規定される画像搬送波および音声搬送波の周波数差とに依存して、変換信号を、前記中間周波数に変換された画像信号に含まれる画像搬送波の周波数をこの変換信号に依存してシフトする変換装置に供給する変換制御手段を設けたことを特徴とするテレビジョン受像機。
【請求項５】
請求項１から４のいずれか１項に記載のテレビジョン受像機において、前記周波数シフト手段に、周波数をシフトされた画像搬送波をロックする位相ロックループ回路を設けたことを特徴とするテレビジョン受像機。
【請求項６】
請求項１から５のいずれか１項に記載のテレビジョン受像機において、前記周波数シフト手段に、前記中間周波数に変換された画像搬送波と、前記中間周波数に変換された画像搬送波および前記シフトされた画像搬送波の周波数差に対応する周波数を有する第１差信号とを、第１混合器によって混合し、前記中間周波数に変換されるとともに位相を９０°シフトされた画像搬送波と、前記第１差信号と同一であるが位相を９０°シフトされた第２差信号とを、第２混合器によって混合し、前記２つの混合器の出力信号を加算する加算器を設けた直交混合器を設けたことを特徴とするテレビジョン受像機。
【請求項７】
請求項４、５または６のいずれか１項に記載のテレビジョン受像機において、前記変換制御手段によって前記変換装置に供給される前記変換信号が、前記第１差信号および第２差信号を含み、前記位相ロックループ回路を、前記２つの混合器によって供給される信号を加算する加算器より前段に設けたことを特徴とするテレビジョン受像機。
【発明の詳細な説明】
【０００１】
【発明の属する技術分野】
本発明は、テレビジョン信号中に含まれ画像搬送波に変調された画像信号を画像信号中間周波数に変換し、前記テレビジョン信号中に含まれ２つの音声搬送波に変調されたステレオ音声信号または２トーン信号を２つの第１音声信号中間周波数に変換するマルチスタンダードテレビジョン受像機に関するものである。
【０００２】
【従来の技術】
テレビジョン受像機において中間周波数に変換された画像信号は、一般に、画像搬送波に変調された画像情報成分と、１つまたは２つの音声搬送波に変調された音声情報成分とを含む。テレビジョン信号の伝送規格に依存して、画像搬送波および音声搬送波の周波数差は、異なって選択される。したがって既知のテレビジョン受像機は、第２音声中間周波数を形成した後に、音声信号を抽出する異なった中心周波数における複数のフィルタを具える。例えばすべての既知のテレビジョン標準規格のテレビジョン信号の処理に好適なマルチスタンダードテレビジョン受像機に関して、このような形式の音声信号フィルタが７個必要である。送信されたテレビジョン標準規格と、音声搬送波間の周波数差とに依存して、１つまたはそれ以上のこれらのフィルタが必要となる。
【０００３】
さらに、１９９３年のＩＥＥＥによる刊行物である報告″自動音声搬送波識別による調整不要マルチスタンダード音声中間周波集積回路（Adjustment Free Multistandard Sound-IF Integrated Circuit with automatic Sound Carrier Identification ）″の１０４から１０５ページから、信号の第１および第２の混合を行い、５００ｋＨｚおよび２６０ｋＨｚの第３の固定中間周波数を得ることが既知である。
【０００４】
【発明が解決しようとする課題】
本発明の目的は、テレビジョン信号に含まれるステレオ音声信号を抽出するフィルタがより少ない数で十分な、できる限り簡単な構造とした上述した形式のマルチスタンダードテレビジョン受像機を提供することである。
【０００５】
【課題を解決するための手段】
本発明によれば、この目的は、ステレオ音声信号を抽出するために予め決められた固定フィルタ中心周波数を有する２つの音声信号フィルタを設け、テレビジョン信号の画像搬送波とその音声搬送波の周波数差に依存して、中間周波数に変換された画像信号に含まれる画像搬送波をシフトし、このシフトされた画像搬送波と混合された第１音声中間周波数の音声中間周波信号が、音声中間周波フィルタによって抽出される２つの音声信号中間周波数において生じるような周波数にする周波数シフト手段を設けることによって解決される。
【０００６】
本発明によれば、中間周波数に変換されたテレビジョン信号に含まれる２つのトーン信号またはステレオトーン信号を抽出するために、固定中心周波数を有する２つの音声信号フィルタを設ける。第１中間周波数に変換した後、例えば画像搬送波と混合することによって第２中間周波数に変換した後に、これらのフィルタを使用してステレオ音声信号を抽出する。しかしながら、画像信号の搬送波と音声信号の搬送波の周波数差が異なる場合、変換された音声信号の中心周波数が異なってしまうかもしれない。したがって、本発明によれば、予め抽出された画像搬送波の周波数を予めシフトする周波数シフト手段を設ける。第１中間周波数に変換された音声信号を、周波数が変換された画像搬送波と混合した後に、第２中間周波数を有するように、したがって、２つの音声信号フィルタの中心周波数を正確に有するように、このシフトを選択する。これらのフィルタは、画像搬送波と音声搬送波の周波数差に特に依存しない固定周波数において常に動作することができる。したがって、第１中間周波数における画像搬送波および音声搬送波の周波数差を、周波数シフト手段が、受信テレビジョン信号の伝送規格によらない所定の周波数を常に有するようなシフトされた画像搬送波を出力端に供給する程度に補正する。第１中間周波数における音声信号も、この変換された画像搬送波と混合することによって、固定周波数、すなわち、第２音声中間周波数に常に変換され、この音声中間周波数を、音声信号フィルタによって抽出する。
【０００７】
このようにして、ステレオ音声信号に必要なのは、固定周波数を有する２つのフィルタのみとなる。このことは、例えば５または７つのこのようなフィルタを有する装置と比較して、特に、これらのフィルタは、セラミックフィルタとして構成され、集積回路において実現するのは困難なため、部品の数をかなり減らせることを示す。テレビジョン信号の伝送規格を検出する回路配置は、マルチスタンダードテレビジョン受像機に一般的に設けられており、この周波数差は、各々の伝送規格に関して一定であり、予め既知であるため、これらの情報を受信テレビジョン信号の画像搬送波および音声搬送波の周波数差の検出に直接使用することができるため、本回路は、部品の数をさらに少なくできる。
【０００８】
本発明の実施例によれば、音声信号フィルタの中心周波数を、５．５および５．７４２ＭＨｚとする。これらの周波数差は、Ｂ／Ｇ標準規格のテレビジョン信号に対して与えられる。これらの伝送基準のテレビジョン信号を受信する場合、第１中間周波数に変換された音声搬送波に混合する前に画像搬送波の周波数をシフトする必要はない。他の伝送規格のテレビジョン信号を受信する場合、変換をする必要があり、画像搬送波に混合され、第２中間周波数に変換された音声信号が、画像搬送波の周波数シフトによって、前記フィルタの中心周波数において生じるようにすべきである。
【０００９】
上述した手段の設計に関して、本発明の他の実施例によれば、第１音声信号中間周波数を、３２．４および３２．１５８ＭＨｚとし、中間周波数に変換された画像信号に含まれる画像搬送波をシフトする周波数を、３７．９ＭＨｚとすることができる。
【００１０】
本発明の他の実施例によれば、第１中間周波数に変換された音声搬送波と混合することによって画像搬送波の周波数をシフトする上述する手段に、テレビジョン信号の伝送規格と、この規格によって規定される画像搬送波および音声搬送波の周波数差とに依存して変換信号を変換装置に供給する変換制御手段を設け、この変換装置は、この変換信号に依存して、中間周波数に変換された画像信号に含まれる画像搬送波の周波数を変換する。
【００１１】
本発明の他の実施例によれば、前記周波数シフト手段に、周波数をシフトされた画像搬送波をロックする位相ロックループ回路を設ける。このＰＬＬを、シフトされた画像搬送波に加えて生じる混合信号を抑制する目的に使用する。このＰＬＬは、シフトされた画像搬送波の周波数のみをロックする。
【００１２】
本発明の他の実施例によれば、前記周波数シフト手段に、中間周波数に変換された画像搬送波と、中間周波数に変換された画像搬送波およびシフトされた画像搬送波の周波数差に対応する周波数を有する第１差信号とを、第１混合器によって混合し、中間周波数に変換されるとともに位相を９０°シフトされた画像搬送波と、第１差信号と等しいが位相を９０°シフトされた第２差信号とを、直交混合器において第２混合器によって混合し、これら２つの混合器の出力信号を加算する加算器を設けた直交混合器を設ける。
【００１３】
この直交混合器によって、周波数を変換された画像搬送波は、画像搬送波に加えて生じる混合の結果が、すでに比較的十分な程度に抑制されるようにして得られる。この信号をＰＬＬに追加して供給すると、画像搬送波を明確にロックすることができ、他の混合の結果の影響を受けない形式で画像搬送波を出力端子に供給することができる。
【００１４】
【発明の実施の形態】
図１においてブロック図の形式で示すマルチスタンダードテレビジョン受像機は、異なったテレビジョン標準規格のテレビジョン信号の処理に使用される。伝送規格によって、画像信号が変調されている画像搬送波とステレオトーン信号または２つのトーン信号が変調されている音声搬送波の周波数差は、異なるかもしれない。図１に示す回路は、音声信号を抽出するために生じる問題を、中間周波数に変換された画像搬送波の周波数をシフトすることによって解消する。
【００１５】
図１の回路は、入力端において、処理すべきテレビジョン信号を含むＲＦ信号を受けるＲＦチューナ１を示す。図示しない方法において、チューナ１は、このテレビジョン信号を中間周波数に変換する。チューナ１は、出力端において、中間周波数に変換された画像信号を供給し、この信号は、画像搬送波に変調された画像情報成分と、第１中間周波数において２つの音声搬送波に変調された音声情報成分とを含む。
【００１６】
図１においてＡで示すチューナ１のこの出力信号を、２つのフィルタに供給する。一方では、フィルタ２は、画像搬送波に変調された画像信号を抽出し、この搬送波信号を抽出する。これによってフィルタ２は、出力端において、図においてＢで示す信号を供給し、この信号は、中間周波数に変換された画像信号である。その後この信号を、中間周波復調器３において復調し、この中間周波復調器３は、図１においてＴＶで示される出力信号として画像信号を供給する。
【００１７】
チューナ１の出力信号Ａをフィルタ４にも供給し、このフィルタ４は、第１中間周波数を有する２つの音声搬送波に変調された音声信号を抽出する。その後これらの信号を、制御増幅器５において増幅する。この増幅器５は、出力端において、図１においてＣで示される信号を供給し、この信号は、２つの音声搬送波に加えて、これらの搬送波に変調された音声信号であり、これらの音声搬送波は、第１中間周波数に変換されている。
【００１８】
図１において１つの回路ブロックとしてのみ示され、画像信号の復調に使用される中間周波復調器を、画像搬送波に使用して、テレビジョン信号を復調しなければならない。いずれにせよ画像信号を復調するのに必要なこの画像搬送波を、信号Ｃとの混合に使用することができる。先行技術の回路において、この混合は、直接行われる。しかしながら、音声信号は、混合器の出力端において、テレビジョン信号の伝送規格によって異なった周波数範囲において発生する。
【００１９】
この問題を、元の位相位置に加えて９０°シフトした位相位置において存在する画像搬送波ＰＣを周波数シフト手段６に供給する図１に示す本発明による回路によって排除することができる。これらの手段６は、画像搬送波ＰＣの周波数をシフトする。上述したように、画像搬送波ＰＣは、受信テレビジョン信号の中間周波数にシフトされた画像搬送波である。この画像搬送波の周波数を手段６によってシフトし、このシフトされた画像搬送波を信号Ｃと混合した後、第１中間周波数において２つの音声搬送波に変調された音声信号が、第２中間周波数の所望の周波数範囲に生じるようにする。
【００２０】
図１において、周波数をシフトされた画像搬送波を、手段６の出力信号としてＰＣ′によって示す。この信号を、信号Ｃも供給される混合器７に供給する。この周波数をシフトされた画像搬送波と、第１中間周波数に変換された２つの音声搬送波とを混合することによって、これらの中心周波数を、新たな周波数範囲、すなわち第２音声中間周波数に変換する。変換されたこの信号を、図１においてＤで示す。この信号は、２つの音声信号フィルタ８および９に到達する。図１の実施例において、フィルタ８は、５．５ＭＨｚの中心周波数を有し、フィルタ９は、５．７４２ＭＨｚの中心周波数を有する。２つのフィルタ８および９の出力信号を、復調器１０および１１に供給し、これらの復調器は、第２中間周波数の音声搬送波に変調されフィルタ８および９によって抽出された音声信号を復調すなわちベースバンド周波数に変換する。復調器１０および１１は、ステレオ音声信号ＡＦ１およびＡＦ２を、出力端子に供給する。
【００２１】
図１の回路装置の動作と、特に周波数シフト手段６の動作とを、図１の回路装置において生じるいくつかの信号を表す図２の参照とともに説明する。
【００２２】
図２は、５つの信号をこれらの周波数スペクトルに関して図式的に示す。
【００２３】
図２の上部は、図１の回路配置のチューナ１によって供給される信号Ａを示す。すでに説明したように、このチューナは、受信されたテレビジョン信号を中間周波数にすでに変換している。図２の信号Ａに示す例において、ＰＣで示す受信テレビジョン信号の画像搬送波は、３８．９ＭＨｚの周波数に変換されているとする。第１中間周波数に変換された２つの音声搬送波は、３２．４および３１．１５８ＭＨｚの周波数を有する。例えばＤＫ標準規格の信号である受信テレビジョン信号において、音声搬送波と画像搬送波の周波数差は、各々６．５および６．７４２ＭＨｚである。これらの画像搬送波と音声搬送波の周波数の差は、テレビジョン信号の伝送規格に依存する。
【００２４】
図２の曲線Ｂの変化は、図１に示す回路配置の画像信号フィルタ２の出力信号を示す。ここで、既知のナイキストエッジを有する画像信号が抽出されている。上述したように、画像搬送波ＰＣは、３８．９ＭＨｚである。
【００２５】
中間周波数に変換された画像搬送波の周波数をシフトする手段６の出力信号を表す信号ＰＣ′を、第３の曲線として図２に示す。この信号を、図１の混合器７において、第１中間周波数に変換された音声搬送波と混合し、これらの音声信号が、出力端子において、第２音声中間周波数において発生するようにする。図１の例において、音声搬送波は、フィルタ８および９の中心周波数と一致させて、５．５および５．７４２ＭＨｚの周波数を有するべきである。しかしながら、図２に示す例において、直接混合する場合、フィルタ８および９によって抽出できない６．５および６．７４２ＭＨｚの異なった周波数になってしまう。本発明によれば、３８．９ＭＨｚの中間周波数に変換された画像搬送波を手段６によってシフトすべき周波数は、第１中間周波数に変換された音声信号と混合した後、第２音声中間周波数に変換した後、音声搬送波とこれらに変調された信号とが、各々５．５および５．７４２ＭＨｚの周波数において生じるような周波数である。この目的のために、図２の例において中間周波数に変換された画像搬送波を１ＭＨｚ下方にシフトし、３７．９ＭＨｚの周波数が生じるようにすべきであり、これは、この周波数が、第１中間周波数に変換された音声搬送波に対して、５．５および５．７４２ＭＨｚの所望の周波数差を正確に供給するからである。このことを、図２において曲線ＰＣ′およびＣによって示す。
【００２６】
図２の曲線Ｄは、中間周波数に変換された画像搬送波に選択された１ＭＨｚの周波数シフトにおいて、混合器７の出力信号が、第２中間周波数に変換された音声搬送波ＳＣ１およびＳＣ２に加えて、５．５および５．７４２ＭＨｚの周波数範囲においてこれらに変調された音声信号を含むことを示す。このようにして、音声搬送波は、フィルタ８および９の中心周波数に変換され、これらの信号をこれらのフィルタによって直接抽出できるようになる。
【００２７】
図２は、画像搬送波ＰＣの新たな値ＰＣ′へのシフトを、ＰＣ′と第１中間周波数に変換された音声搬送波との周波数の差が、常に後に抽出すべき所望の周波数をもたらすように行うべきであることを示す。
【００２８】
図１の回路配置用の周波数シフト手段６の可能な実施例を、図３のブロック図の参照とともに説明する。
【００２９】
図３のブロック図は、直交混合器２１と位相ロックループ回路２４とを具える変換装置２７を示す。図３は、さらに、変換制御手段２２を示す。
【００３０】
発振器２３によって発生される基準クロック信号を受ける変換制御手段２２は、受信テレビジョン信号の伝送規格に依存して信号ΔＦを発生し、この信号ΔＦは、画像搬送波の所望の周波数シフトを示す。この信号を、２つの位相位置において供給し、これらの位相位置の一方は、他方に対して＋９０°シフトされている。
【００３１】
受信テレビジョン信号の伝送規格についての情報は、他の目的にも使用されるため、マルチスタンダードテレビジョン受像機においていずれにせよ存在する。この情報を、信号ＳＳによって、変換制御手段２２に供給し、この変換制御手段２２は、この信号に依存して必要な方法において値ΔＦを発生する。
【００３２】
図３の混合器２１は、特に図４に示すような直交混合器としてもよい。この混合器の入力端子は、位相位置０°および＋９０°における画像搬送波ＰＣを受ける。図３の変換制御手段２２によってその出力端子において供給される位相位置０°および＋９０°における変換信号ΔＦを、混合器４１および４２にも供給し、位相位置０°の画像搬送波を混合器４１に供給し、位相位置＋９０°の信号を混合器４２に供給する。これらの変換信号が方形波信号の場合、これらの信号を、混合器４１および４２に供給する前に、正弦波信号に変換する装置４３および４４に供給してもよい。
【００３３】
図４の直交混合器の混合器４１は、供給された画像搬送波を、変換信号ΔＦの周波数で上方へのシフトをし、下方へのシフトをして、出力端子に供給する。混合器４２は、変換信号ΔＦの値によって周波数を下方にシフトされた画像搬送波も供給する。さらに、ΔＦによって周波数を上方にシフトされたこの画像搬送波を供給するが、この画像搬送波は、位相位置が１８０°回転されている。混合器４１および４２のこれらの出力信号を加算器４５において重ね合わせると、混合器４１の信号部分ＰＣ＋ΔＦと混合器４２の信号部分ＰＣ＋ΔＦとは、混合器４２の出力信号が混合器４１の出力信号に対して位相が１８０°シフトされているため、打ち消し合わされる。しかしながら、２つの混合器の出力信号の信号部分ＰＣ−ΔＦは、同位相で重ね合わされ、この結果混合器４５の出力信号に２倍の振幅となって生じる。この信号を、図４においてＰＣ′で示す。他の周波数の小さな混合の結果のみが、この信号中に残る。これらをさらに抑制するために、図３は、この抽出されたシフトされた画像搬送波周波数ＰＣ′＝ＰＣ−ΔＦをロックするＰＬＬ２４を配置したことを示す。これらによって、図３の変換装置２７は、安定した画像搬送波ＰＣ′を出力端子に供給し、この画像搬送波は、他の混合の結果の影響を受けない。この信号を、第１音声中間周波数に変換された図１の混合器の音声信号と、有利に混合することができる。次にこの混合器７は、第２音声中間周波数に変換された音声信号を出力端子に供給し、これらの信号を、フィルタ８および９によって抽出することができる。
【００３４】
本例において、信号部分ＰＣ＋ΔＦは、加算器４５における加算中に打ち消し合わされ、信号部分ＰＣ−ΔＦは、同位相で重ね合わされる。結果として、より低い方の周波数の混合結果が抽出される。もちろんこの抽出を、例えば混合器４２が、信号ΔＦを−９０°の位相位置で受けるようにして、逆に行うこともできる。このとき、逆に、信号部分ＰＣ−ΔＦが打ち消し合わされ、信号部分ＰＣ＋ΔＦが同位相で重ね合わされる。
【図面の簡単な説明】
【図１】  本発明によるマルチスタンダードテレビジョン受像機のブロック図である。
【図２】  図１のテレビジョン受像機において生じるいくつかの信号を示す線図である。
【図３】  図１の回路における周波数シフト手段の実施例を示す線図である。
【図４】  図１および／または図３の装置用の直交混合器を示す線図である。
【符号の説明】
１  ＲＦチューナ
２、４  フィルタ
３  中間周波復調器
５  制御増幅器
６  周波数シフト手段
７  混合器
８、９  音声信号フィルタ
１０、１１  復調器
２１  直交混合器
２２  変換制御手段
２３  発振器
２４  位相ロックループ回路
２７  変換装置
４１、４２  混合器
４５  加算器
【図１】
0003778605.tif 000002
【図２】
0003778605.tif 000003
【図３】
0003778605.tif 000004
【図４】
0003778605.tif 000005